(57)【要約】      （修正有）【課題】ドライクリーニング溶剤用濾過エレメントの改良に関するものであり、特に微細なダストを捕捉除去できる濾過エレメントを提供する。【解決手段】じゃばら状に折った濾紙、内側には穴あけ加工した金属の筒が２重にあり、その間に活性炭８を主体とする清浄剤が充填されているが濾紙（Ａ部分）の表面にクモの巣状の微細な繊維をコーティングした濾紙を使用し構成する。【選択図】図１
0003157574.tif 000002
【実用新案登録請求の範囲】
【請求項１】
円筒形の濾過エレメントの外周（Ａ部分）に濾紙（３）を設け不溶性のダストを捕捉し、濾過エレメントの内側（Ｂ部分）に活性炭を主体とする吸着材を充填しドライクリーニング溶剤の汚れ（色素、脂肪酸、異臭、水分）を濾過し除去する部品で、濾紙（３）部分の表面にクモの巣状の微細な繊維をコーティングした構造とし、濾過精度に優れた事を特徴とする濾過エレメント。
【考案の詳細な説明】
【技術分野】
【０００１】
本考案は、ドライクリーニング溶剤用濾過エレメントの改良に関するものであり、特に微細なダストを捕捉除去できる事に関するものである。
【背景技術】
【０００２】
従来の濾過エレメントは、左右に円形の金属プレート、外周にじゃばら状に折った濾紙、内側には穴あけ加工した金属の筒が２重にあり、その間に活性炭を主体とする清浄剤が充填されドライクリーニング溶剤中のダスト（不溶性の汚れ）は濾紙により捕捉除去され、さらに活性炭を主体とした清浄剤により汚れ（色素、脂肪酸、水分）は吸着され濾過される。
【０００３】
【特許文献１】登録実用新案第３０１５４６０号
【考案の開示】
【考案が解決しようとする課題】
【０００４】
解決しようとする問題点は、上記従来の濾過エレメントでは、細かい目の濾紙を採用するとすぐにフィルター圧力が上昇し濾過エレメント交換時期が早くなる、そのため長期間の使用に対応する様、濾紙の目の粗いものを採用しているがその反面濾過精度が低下し微細なダストが捕捉濾過されていなかった。特に濾過エレメント交換初期は濾紙の目が粗く細かいダストが浮遊して溶剤が綺麗になり難く逆汚染等クリーニングの品質上好ましくないという問題があった。
【課題を解決するための手段】
【０００５】
本考案は、円筒形の濾過エレメントの外周（Ａ部分）に濾紙（３）を設け不溶性のダストを捕捉し、濾材の内側（Ｂ部分）に活性炭を主体とする吸着剤を充填しドライクリーニング溶剤の汚れ（色素、脂肪酸、異臭、水分）を濾過し除去する部品で、濾紙（３）の表面にクモの巣状の微細な繊維をコーティングすることで、濾過精度に優れた事を特徴とする濾過エレメント。
【考案の効果】
【０００６】
ドライクリーニングの結果被洗物に汚染された溶剤は濾過エレメント外側より内側へと濾過される。この際に濾紙の表面にクモの巣状の微細な繊維をコーティングすることにより微細なダストが捕捉される。
次に、活性炭を主体とする清浄剤で汚れ（色素、脂肪酸、水分）が吸着除去される。このようにダスト及び汚れが除去された溶剤は再びドライクリーニング用に供される。
【考案を実施するための最良の形態】
【０００７】
図３はドライクリーニングにおける清浄槽と濾過タンクの配管概略図である。被洗物に汚染されたドライクリーニング用溶剤（汚染溶剤）は洗浄ドラム（１０）から排出され、ベースタンク（１１）に貯まる。ポンプ（１２）による圧力を以て汚染溶剤は濾過タンク（１３）へ送付され当考案の濾過エレメントの外周より内側へと浸透浄化され再び洗浄ドラム（１０）に流入する。
【実施例１】
【０００８】
図１は、ドライクリーニング溶剤用濾過エレメントの一部断面図である。濾過エレメントは、左右に金属製のエンドプレート（２）、外周に濾紙（３）を設けアウターチューブ（５）とインナーチューブ（７）の空間に活性炭を主体とする吸着剤（Ｂ）を充填する。
【０００９】
濾過エレメントの外周の濾材（Ａ）は、従来の濾材（図５）の表面に５０〜３００ナノメートルの微細な繊維（１６）をクモの巣状にコーティングした濾過シート（図４）により形成する。この濾過シートはそのまま張着してもよいが、ジャバラ状にすると表面積が増して濾過能力がいっそう向上する。
インナーチューブ（７）の筒壁は目の細かい（内容物である吸着剤が流出しない程度の大きさの目をもつ）金網のような多孔材により形成する。
【００１０】
溶剤の浄化は、先ず濾過エレメントの外周（Ａ部分）に張られた濾紙（３）により不溶性のダストを除去する第一段階の濾過が行われる。次に濾過エレメント（Ｂ部分）の活性炭（８）を主体とする吸着剤により汚れ（色素、脂肪酸、異臭、水分）が吸着される。
なお、濾過エレメントの形状は従前のものと同じくすると、従前と同様のカートリッヂフィルターケースが使用でき、その他の設備も変更せずに使用でき、設備の無駄がない。
【００１１】
濾過エレメント（Ｂ部分）は活性炭を主体とする吸着剤であるが溶剤の汚れ（色素、脂肪酸、異臭、水分）の除去を必要としない場合、つまり不溶性のダストの捕捉のみを目的とするときは充填せずに補強ホルダーをアウターチューブ（５）の筒壁に溶接して耐圧の補強とする。
【００１２】
これを要するに本考案は、濾過エレメントの外周（Ａ部分）の濾紙（３）の表面に５０〜３００ナノメートルの微細な繊維をクモの巣状にコーティングし、今まで捕捉出来なかった微細なダスト除去し、濾過エレメント交換時のプリコート時間の短縮や、溶剤中の微細なダストを除去することで、より清浄な溶剤を保つ事が出来、ドライクリーニングの品質がいっそう向上するという効果を奏する。
【産業上の利用可能性】
【００１３】
本考案は、ドライクリーニング溶剤用濾過エレメントの改良に関するものであり、特に微細なダストを捕捉除去できる事に関するものである。
【図面の簡単な説明】
【００１４】
【図１】本考案を実施したドライクリーニング溶剤用濾過エレメントの一部断面図である。
【図２】図１のドライクリーニング溶剤用濾過エレメントの平面図である。
【図３】洗浄槽と濾過タンクの配管図である。
【図４】本考案の濾紙構造である。
【図５】従来の濾紙構造である。
【符号の説明】
【００１５】
１    濾過エレメント
２    エンドプレート
３    濾紙
４    アウターカバー
５    アウターチューブ
６    インナーカバー
７    インナーチューブ
８    活性炭
９    帯
１０    洗浄ドラム
１１    ベースタンク
１２    ポンプ
１３    濾過タンク
１４    ボタントラップ
１５    濾紙構成材
１６    ナノファイバー
【図１】
0003157574.tif 000003
【図２】
0003157574.tif 000004
【図３】
0003157574.tif 000005
【図４】
0003157574.tif 000006
【図５】
0003157574.tif 000007
【手続補正書】
【提出日】平成21年12月7日(2009.12.7)
【手続補正１】
【補正対象書類名】実用新案登録請求の範囲
【補正対象項目名】請求項１
【補正方法】変更
【補正の内容】
【請求項１】
円筒形の濾過エレメントの外周（Ａ部分）に濾紙（３）を設け不溶性のダストを捕捉し、濾過エレメントの内側（Ｂ部分）に活性炭を主体とする吸着材を充填しドライクリーニング溶剤の汚れ、色素、脂肪酸、異臭、水分を濾過し除去する部品で、濾紙（３）部分の表面にクモの巣状の微細な繊維をコーティングした構造とし、濾過精度に優れた事を特徴とする濾過エレメント。
【手続補正２】
【補正対象書類名】明細書
【補正対象項目名】０００２
【補正方法】変更
【補正の内容】
【０００２】
従来の濾過エレメントは、左右に円形の金属プレート、外周にじゃばら状に折った濾紙、内側には穴あけ加工した金属の筒が２重にあり、その間に活性炭を主体とする清浄剤が充填されドライクリーニング溶剤中のダスト（不溶性の汚れ）は濾紙により捕捉除去され、さらに活性炭を主体とした清浄剤により汚れ、色素、脂肪酸、異臭、水分は吸着され濾過される。
【手続補正３】
【補正対象書類名】明細書
【補正対象項目名】０００５
【補正方法】変更
【補正の内容】
【０００５】
本考案は、円筒形の濾過エレメントの外周（Ａ部分）に濾紙（３）を設け不溶性のダストを捕捉し、濾材の内側（Ｂ部分）に活性炭を主体とする吸着剤を充填しドライクリーニング溶剤の汚れ、色素、脂肪酸、異臭、水分を濾過し除去する部品で、濾紙（３）の表面にクモの巣状の微細な繊維をコーティングすることで、濾過精度に優れた事を特徴とする濾過エレメント。
【手続補正４】
【補正対象書類名】明細書
【補正対象項目名】０００６
【補正方法】変更
【補正の内容】
【０００６】
ドライクリーニングの結果被洗物に汚染された溶剤は濾過エレメント外側より内側へと濾過される。この際に濾紙の表面にクモの巣状の微細な繊維をコーティングすることにより微細なダストが捕捉される。
次に、活性炭を主体とする清浄剤で汚れ、色素、脂肪酸、異臭、水分が吸着除去される。このようにダスト及び汚れが除去された溶剤は再びドライクリーニング用に供される。
【手続補正５】
【補正対象書類名】明細書
【補正対象項目名】００１０
【補正方法】変更
【補正の内容】
【００１０】
溶剤の浄化は、先ず濾過エレメントの外周（Ａ部分）に張られた濾紙（３）により不溶性のダストを除去する第一段階の濾過が行われる。次に濾過エレメント（Ｂ部分）の活性炭（８）を主体とする吸着剤により汚れ、色素、脂肪酸、異臭、水分が吸着される。
なお、濾過エレメントの形状は従前のものと同じくすると、従前と同様のカートリッヂフィルターケースが使用でき、その他の設備も変更せずに使用でき、設備の無駄がない。
【手続補正６】
【補正対象書類名】明細書
【補正対象項目名】００１１
【補正方法】変更
【補正の内容】
【００１１】
濾過エレメント（Ｂ部分）は活性炭を主体とする吸着剤であるが溶剤の汚れ、色素、脂肪酸、異臭、水分の除去を必要としない場合、つまり不溶性のダストの捕捉のみを目的とするときは充填せずに補強ホルダーをアウターチューブ（５）の筒壁に溶接して耐圧の補強とする。